(57)【要約】【課題】高い精度で画像を読み取ることができる読取装置及び画像形成装置を提供することが課題である。【解決手段】本発明の読取装置は、原稿が載置される第１面と、該第１面とは反対側の第２面と、を含む載置板と、前記第２面に沿って移動するスライド機構と、を備え、該スライド機構は、光を出射する光源と、前記光を前記スライド機構の移動方向に対して交差する方向に導き、且つ、前記原稿に向けて前記光を出射する導光板と、該導光板を収容するケースと、前記第２面に接触しながら移動するスライダー部と、を含み、前記ケースと別体に形成された前記スライダー部は、前記導光板を保持する保持部を有することを特徴とする。【選択図】図７
2013207521.tif 000002
【特許請求の範囲】
【請求項１】
原稿が載置される第１面と、該第１面とは反対側の第２面と、を含む載置板と、
前記第２面に沿って移動するスライド機構と、を備え、
該スライド機構は、
光を出射する光源と、
前記光を前記スライド機構の移動方向に対して交差する方向に導き、且つ、前記原稿に向けて前記光を出射する導光板と、
該導光板を収容するケースと、
前記ケースと別体に形成され、前記第２面に接触しながら移動するスライダー部と、を含み、
前記導光板は、前記光が入射する第１端面と、該第１端面とは反対側の第２端面と、を含み、
前記ケースは、前記第２面に対向する対向面を含み、
前記スライダー部は、前記第１端面に隣接する第１スライダー片と、前記第２端面に隣接する第２スライダー片と、を含み、
前記第１スライダー片は、前記対向面に固定され、前記第２面に接触する第１接触部と、該第１接触部から延び、前記第１端面に接続された第１保持部と、を含み、
前記第２スライダー片は、前記対向面に固定され、前記第２面に接触する第２接触部と、前記第２接触部から延び、該第２端面に接続された第２保持部と、を含み、
前記第１スライダー片及び前記第２スライダー片は、前記第１保持部及び前記第２保持部を用いて、前記導光板を保持することを特徴とする読取装置。
【請求項２】
前記ケースは、前記導光板に沿って延びる第１部分と、該第１部分と協働して前記導光板から前記原稿へ向かう前記光の通過を許容する領域を規定する第２部分と、を含み、
前記導光板は、前記第１部分と前記第２部分との間に配設され、
前記第１接触部及び前記第２接触部は、前記第１部分と前記第２部分との間で懸架されることを特徴とする請求項１に記載の読取装置。
【請求項３】
前記第１保持部は、前記光源から前記第１端面への前記光の入射を許容することを特徴とする請求項１又は２のいずれか１項に記載の読取装置。
【請求項４】
請求項１乃至３のいずれか１項に記載の読取装置を備える画像形成装置。
【発明の詳細な説明】
【技術分野】
【０００１】
本発明は、原稿に描かれた画像を読み取る読取装置及び読取装置によって読み取られた画像に応じて複写画像を形成する画像形成装置に関する。
【背景技術】
【０００２】
原稿に描かれた画像を読み取るための方式として、搬送される原稿の画像を読み取る技術及び静止した原稿の画像を読み取る技術が知られている。特許文献１は、静止した原稿の画像を読み取る技術を開示する。
【０００３】
特許文献１に開示される読取装置は、光源、導光板やセンサーといった様々な光学素子を搭載したスライド機構を原稿の下方で平行移動させ、原稿に描かれた画像を読み取る。導光板は主走査方向に延びる。また、スライド機構は、副走査方向に移動する。
【０００４】
光源から出射された光は、導光板を通じて、主走査方向に案内される。この結果、導光板から主走査方向に延びる線状の光が原稿に向けて出射される。原稿は、導光板から出射された光を反射する。原稿からの反射光は、センサーによって受光される。センサーは、反射光を光電変換し、画像データを生成する。
【先行技術文献】
【特許文献】
【０００５】
【特許文献１】特開２００７−２８４８７号公報
【発明の概要】
【発明が解決しようとする課題】
【０００６】
スライド機構は、光源、導光板やセンサーといった様々な光学素子を保持するためのケースを備える。スライド機構へのケースの取付誤差は、導光板と原稿との間の不均一な距離を生じさせる。導光板と原稿との間の距離が主走査方向において不均一であるならば、画像の読取精度が低くなる。
【０００７】
ケースが樹脂から成型されるならば、ケースの成型誤差も導光板と原稿との間の不均一な距離を生じさせる。ケースが高い精度で成型されたとしても、読取装置が高温環境下で使用されるならば、ケースの熱変形に起因して、導光板と原稿との間の距離は不均一となる。この結果、画像の読取精度は、低くなる。
【０００８】
本発明は、高い精度で画像を読み取ることができる読取装置及び画像形成装置を提供することを目的とする。
【課題を解決するための手段】
【０００９】
本発明の一実施形態に係る読取装置は、原稿が載置される第１面と、該第１面とは反対側の第２面と、を含む載置板と、前記第２面に沿って移動するスライド機構と、を備え、該スライド機構は、光を出射する光源と、前記光を前記スライド機構の移動方向に対して交差する方向に導き、且つ、前記原稿に向けて前記光を出射する導光板と、該導光板を収容するケースと、前記ケースと別体に形成され、前記第２面に接触しながら移動するスライダー部と、を含み、前記導光板は、前記光が入射する第１端面と、該第１端面とは反対側の第２端面と、を含み、前記ケースは、前記第２面に対向する対向面を含み、前記スライダー部は、前記第１端面に隣接する第１スライダー片と、前記第２端面に隣接する第２スライダー片と、を含み、前記第１スライダー片は、前記対向面に固定され、前記第２面に接触する第１接触部と、該第１接触部から延び、前記第１端面に接続された第１保持部と、を含み、前記第２スライダー片は、前記対向面に固定され、前記第２面に接触する第２接触部と、前記第２接触部から延び、該第２端面に接続された第２保持部と、を含み、
前記第１スライダー片及び前記第２スライダー片は、前記第１保持部及び前記第２保持部を用いて、前記導光板を保持することを特徴とする（請求項１）。
【００１０】
上記構成によれば、原稿は、載置板の第１面に載置される。スライド機構は、第１面とは反対側の第２面に沿って移動する。スライド機構の導光板は、光源が出射した光を、スライド機構の移動方向に対して交差する方向に導く。その後、光は、導光板から原稿に向けて出射される。第２面に接触しながら移動するスライダー部は、導光板を収容するケースとは別体に形成される。
【００１１】
第１スライダー片は、光が入射する第１端面に隣接する。第２スライダー片は、第１端面とは反対側の第２端面に隣接する。第１スライダー片の第１保持部は、第１端面に接続される。第２スライダー片の第２保持部は、第２端面に接続される。
【００１２】
第１スライダー片の第１接触部は、対向面に固定され、第２面に接触する。第２スライダー片の第２接触部は、対向面に固定され、第２面に接触する。第１保持部は、第１接触部から延び、第１端面に接続される。第２保持部は、第２接触部から延び、第２端面に接続される。この結果、導光板と原稿との距離は、ケースの影響を受けにくくなる。したがって、読取装置は、高い精度で画像を読み取ることができる。
【００１３】
上記構成において、前記ケースは、前記導光板に沿って延びる第１部分と、該第１部分と協働して前記導光板から前記原稿へ向かう前記光の通過を許容する領域を規定する第２部分と、を含み、前記導光板は、前記第１部分と前記第２部分との間に配設され、前記第１接触部及び前記第２接触部は、前記第１部分と前記第２部分との間で架設されることが好ましい（請求項２）。
【００１４】
上記構成によれば、ケースは、導光板に沿って延びる第１部分と、第１部分と協働して導光板から原稿へ向かう光の通過を許容する領域を規定する第２部分と、を含む。導光板は、第１部分と第２部分との間に配設されるので、導光板からの光は原稿へ適切に到達する。第１接触部及び第２接触部は、第１部分と第２部分との間で架設される。第１接触部及び第２接触部から延びる第１保持部及び第２保持部は、第１部分と第２部分との間で、導光板を適切に保持することができる。
【００１５】
上記構成において、前記第１保持部は、前記光源から前記第１端面への前記光の入射を許容することが好ましい（請求項３）。
【００１６】
上記構成によれば、第１保持部は、光源から第１端面への光の入射を許容するので、光は、導光板を通じて、原稿へ適切に到達することができる。
【００１７】
本発明の他の実施形態に係る画像形成装置は、上述の読取装置を備えることを特徴とする（請求項４）。
【００１８】
上記構成によれば、画像形成装置は、上述の読取装置を備えるので、高い精度で画像を読み取ることができる。
【発明の効果】
【００１９】
本発明に従う読取装置及び画像形成装置は、公差バラツキを低減するので、形成される画像の画質が向上する。
【図面の簡単な説明】
【００２０】
【図１】画像形成装置として例示される複写機の概略的な斜視図である。
【図２】図１に示される複写機の概略的な断面図である。
【図３】図２に示される複写機の読取装置の概略的な斜視図である。
【図４】図３に示される読取装置の概略的な斜視図である。
【図５】図４に示される読取装置の概略的な断面図である。
【図６】図５に示される読取装置のケースの概略的な斜視図である。
【図７】図６に示されるケースの端部の概略的な拡大斜視図である。
【図８】図５に示される読取装置の第１スライダー片と第２スライダー片とに保持された導光板の概略図である。
【発明を実施するための形態】
【００２１】
以下、添付の図面を用いて、読取装置及び画像形成装置が説明される。尚、以下の説明で用いられる「上」、「下」、「左」や「右」といった方向を表す用語は、単に、説明の明瞭化を目的とするものである。したがって、これらの用語は、読取装置及び画像形成装置の原理を何ら限定するものではない。
【００２２】
（画像形成装置）
図１は、画像形成装置として例示される複写機１００の概略的な斜視図である。図１を用いて、複写機１００が説明される。尚、光学的に原稿の画像を読み取り、読み取られた画像の応じて新たな画像を形成する他の装置が画像形成装置として用いられてもよい。
【００２３】
複写機１００は、シートに画像を形成するための様々な装置（例えば、感光体ドラム、現像装置やコンテナー）を収容する収容空間を規定する主筐体２００を備える。主筐体２００は、上部筐体２１０と、上部筐体２１０の下方に配置された下部筐体２２０と、上部筐体２１０と下部筐体２２０との間に配置された中間筐体２３０と、を含む。
【００２４】
複写機１００は、上部筐体２１０の上面を覆うカバー板２４０を更に備える。上部筐体２１０に接続されたカバー板２４０は、上下に回動される。上部筐体２１０は、後述される読取装置の様々な部品を収容及び支持するために用いられる。使用者は、カバー板２４０を押し上げ、原稿を上部筐体２１０の上面に載置することができる。その後、使用者は、カバー板２４０を降ろし、原稿を押さえることができる。
【００２５】
上部筐体２１０を用いて形成された読取装置は、上部筐体２１０上の原稿に描かれた画像を読み取る。複写機１００は、読み取られた画像に応じた複写画像を形成する。
【００２６】
複写機１００は、シートを収容するカセット３００を更に備える。カセット３００は、下部筐体２２０に挿入される。カセット３００内のシートは、下部筐体２２０内で画像形成処理を受ける。この結果、シート上に複写画像が形成される。
【００２７】
主筐体２００は、上部筐体２１０、下部筐体２２０及び中間筐体２３０に囲まれた空洞部２０１を規定する。下部筐体２２０内で画像形成処理を受けたシートは、中間筐体２３０を通過し、最終的に、空洞部２０１内に排出される。
【００２８】
図２は、複写機１００の概略的な断面図である。図２を用いて、複写機１００が更に説明される。
【００２９】
上述の如く、複写機１００は、上部筐体２１０を用いて形成された読取装置４００を備える。読取装置４００は、上部筐体２１０の上面を形成する透明なコンタクトガラス４１０を備える。コンタクトガラス４１０は、原稿が載置される上面４１１と、上面４１１とは反対の下面４１２と、を含む。使用者は、カバー板２４０を上方に回動し、上面４１１に原稿を載置することができる。その後、使用者は、カバー板２４０を降ろし、コンタクトガラス４１０上の原稿を押さえることができる。本実施形態において、コンタクトガラス４１０は、載置板として例示される。上面４１１は、第１面として例示される。下面４１２は、第２面として例示される。
【００３０】
読取装置４００は、コンタクトガラス４１０の下面４１２に沿って平行移動するスライド機構４２０を更に備える。スライド機構４２０は、コンタクトガラス４１０上の原稿に向けて光を出射する。原稿は、スライド機構４２０から出射された光を反射する。スライド機構４２０は、原稿からの反射光を受け、光電変換技術を用いて、電気信号を生成する。スライド機構４２０の構造は、後述される。
【００３１】
読取装置４００は、スライド機構４２０が生成した電気信号に応じて、画像データを生成する信号処理部４３９を更に備える。スライド機構４２０が生成した電気信号は、信号処理部４３９に出力される。信号処理部４３９は、電気信号に応じて、原稿に描かれた画像に対応した画像データを生成する。
【００３２】
複写機１００は、信号処理部４３９が生成した画像データを用いて、複写画像を形成する画像形成部５００を更に備える。下部筐体２２０内に収容された画像形成部５００は、４つのトナーコンテナー５１０を備える。４つのトナーコンテナー５１０は、色相において異なるトナー（例えば、黒色、マゼンタ、シアン及びイエロー色のトナー）をそれぞれ収容する。信号処理部４３９は、トナーの色相に応じた画像データを生成する。
【００３３】
画像形成部５００は、４つのトナーコンテナー５１０にそれぞれ対応する４つの画像形成ユニット５２０を更に備える。画像形成ユニット５２０は、下部筐体２２０内で回転する感光体ドラム５２１と、感光体ドラム５２１の周面を帯電する帯電器５２２と、感光体ドラム５２１の周面にトナーを供給し、単色の画像を形成する現像装置５２３と、を備える。トナーは、トナーコンテナー５１０から対応する画像形成ユニット５２０の現像装置５２３へ随時補給される。
【００３４】
画像形成部５００は、感光体ドラム５２１にレーザー光を出射する露光装置５３０を更に備える。露光装置５３０は、信号処理部４３９によって生成された画像データに応じて、レーザー光を出射する。この結果、帯電器５２２によって帯電された感光体ドラム５２１の周面に画像データに応じた静電潜像が形成される。現像装置５２３は、静電潜像が形成された感光体ドラム５２１にトナーを供給する。この結果、感光体ドラム５２１にトナー画像が形成される。
【００３５】
画像形成部５００は、転写装置５４０を更に備える。転写装置５４０は、画像形成ユニット５２０とトナーコンテナー５１０との間で周回される転写ベルト５４１と、４つの画像形成ユニット５２０にそれぞれ対応して配設された４つの第１転写ローラー５４２と、を備える。転写ベルト５４１は、第１転写ローラー５４２と感光体ドラム５２１とによって挟まれる。転写ベルト５４１が第１転写ローラー５４２と感光体ドラム５２１との間を通過するとき、感光体ドラム５２１上に形成されたトナー画像は、転写ベルト５４１に静電気的に転写される。４つの画像形成ユニット５２０から順次転写されたトナー画像は、転写ベルト５４１上で重ね合わせられる。この結果、４つの色相のトナーで描かれた画像が転写ベルト５４１上に現れる。
【００３６】
転写装置５４０は、転写ベルト５４１を駆動するための駆動ローラー５４３と、駆動ローラー５４３と協働して、転写ベルト５４１の走行経路を規定する従動ローラー５４４と、駆動ローラー５４３に隣接する第２転写ローラー５４５と、を更に備える。シートが駆動ローラー５４３と第２転写ローラー５４５との間を通過するとき、転写ベルト５４１上のトナー画像は、シートへ静電気的に転写される。
【００３７】
複写機１００は、カセット３００からシートを引き出すピックアップローラー３１０と、ピックアップローラー３１０から引き出されたシートを更に下流へ送る給紙ローラー３１１と、給紙ローラー３１１に隣接するリタードローラー３１２と、を備える。ピックアップローラー３１０が１枚のシートをカセット３００から引き出すならば、リタードローラー３１２は、シートの搬送に従って回転する。ピックアップローラー３１０が複数のシートを同時にカセット３００から引き出すならば、リタードローラー３１２は、高いトルクが加わる。リタードローラー３１２が、高いトルクを検出するならば、リタードローラー３１２は停止する。この結果、リタードローラー３１２は、不要なシートの搬送を阻害する。この結果、給紙ローラー３１１に接触するシートのみが下流へ搬送される。かくして、シートは、１枚ずつ下流へ送られる。
【００３８】
複写機１００は、給紙ローラー３１１によって給紙されたシートの搬送を補助する搬送ローラー対３２０と、画像形成部５００による画像形成処理に対して、シートの供給タイミングを調整するレジストローラー対３３０と、を備える。搬送ローラー対３２０は、レジストローラー対３３０へシートを送り出す。転写ベルト５４１上のトナー画像の第２転写ローラー５４５への接近に合わせて、レジストローラー対３３０は、シートを駆動ローラー５４３と第２転写ローラー５４５との間に送り出す。この結果、トナー画像は、シートの適所に転写される。
【００３９】
複写機１００は、シート上のトナー画像を定着させるための定着装置６００を更に備える。定着装置６００は、シート上のトナーを溶融する加熱ローラー６１０と、加熱ローラーにシートを押しつける加圧ローラー６２０と、を備える。トナー画像の転写を受けたシートは、加熱ローラー６１０と加圧ローラー６２０との間に送り出される。加圧ローラー６２０によって加熱ローラー６１０に押しつけられたシート上のトナーは溶融し、シートに浸透する。この結果、トナー画像はシートに定着される。
【００４０】
複写機１００は、定着装置６００を通過したシートを排出するための排出ローラー対３４０を更に備える。シートは、最終的に、排出ローラー対３４０によって中間筐体２３０から空洞部２０１へ排出される。
【００４１】
（読取装置）
図３は、読取装置４００の概略的な斜視図である。図２及び図３を用いて、読取装置４００が説明される。
【００４２】
読取装置４００は、スライド機構４２０を支持する支持筐体４３０を備える。支持筐体４３０は、スライド機構４２０の移動方向を規定するレール部４３１が形成された略矩形状の底壁４３２と、底壁４３２の周縁から立設された周壁４３３と、を含む。底壁４３２及び周壁４３３は、上部筐体２１０の一部として用いられる。支持筐体４３０は、上方に開口する。
【００４３】
読取装置４００は、スライド機構４２０を駆動し、レール部４３１に沿って移動させる駆動機構４４０を更に備える。駆動機構４４０は、駆動プーリー４４１と、駆動プーリー４４１に巻回された無端のワイヤー４４２と、駆動プーリー４４１と協働してレール部４３１に略平行なワイヤー４４２の周回経路を規定する従動プーリー（図示せず）と、を備える。駆動プーリー４４１と従動プーリーとに巻回されたワイヤー４４２は、レール部４３１に略平行に延びる。また、ワイヤー４４２は、スライド機構４２０に接続される。駆動プーリー４４１が回転すると、ワイヤー４４２に接続されたスライド機構４２０は、レール部４３１に沿って移動する。以下の説明において、レール部４３１の延設方向は、「副走査方向」と称される。副走査方向に直交する方向は、「主走査方向」と称される。
【００４４】
図４は、読取装置４００の概略的な斜視図である。図２乃至図４を用いて、読取装置４００が更に説明される。
【００４５】
上述の如く、支持筐体４３０は、上方に開口する。読取装置４００は、支持筐体４３０の開口部を閉塞するための略矩形の天板４５０を更に備える。天板４５０には、略矩形の開口部４５１が形成される。コンタクトガラス４１０は、開口部４５１を閉塞する。
【００４６】
図５は、読取装置４００の概略的な断面図である。図５を用いて、読取装置４００が更に説明される。
【００４７】
読取装置４００は、光源や受光素子といった様々な光学素子を収容するケース４６０と、ケース４６０に取り付けられたスライダー部４７０と、を備える。スライダー部４７０は、コンタクトガラス４１０の下面４１２に接触しながら、副走査方向に移動する。
【００４８】
読取装置４００は、ケース４６０を支持する支持機構４８０を更に備える。支持機構４８０は、レール部４３１と噛み合う噛合部４８１を有する支持プレート４８２を備える。支持機構４８０は、底壁４３２に向けて支持プレート４８２から突出する接地片４８３を更に備える。接地片４８３と底壁４３２との間の接触面積は、小さい。したがって、支持プレート４８２は、レール部４３１に沿って円滑に移動することができる。また、支持プレート４８２は、接地片４８３によって、底壁４３２上で安定的に支持される。
【００４９】
支持機構４８０は、支持プレート４８２とケース４６０との間に配設されたスプリング４８４を備える。スプリング４８４は、コンタクトガラス４１０に向けてケース４６０を付勢する。この結果、ケース４６０に取り付けられたスライダー部４７０は、コンタクトガラス４１０の下面４１２に安定的に接触することができる。
【００５０】
図６は、ケース４６０の概略的な斜視図である。図５及び図６を用いて、読取装置４００が更に説明される。
【００５１】
読取装置４００は、ケース４６０内に収容された導光板４９０を備える。導光板４９０は、主走査方向に延びる光学板である。導光板４９０は、主走査方向に光を導き、最終的に上方へ光を出射する。この結果、コンタクトガラス４１０上の原稿に光が到達する。原稿は、下方に光を反射する。
【００５２】
読取装置４００は、ケース４６０内に収容されたセルフォック（登録商標）レンズ４９１と、セルフォック（登録商標）レンズ４９１の下方で主走査方向に整列された複数の受光素子（図示せず）を備える。セルフォック（登録商標）レンズ４９１は、原稿からの反射光を受け、受光素子に結像させる。受光素子は、光電変換をし、電気信号を出力する。
【００５３】
図７は、ケース４６０の端部の概略的な拡大斜視図である。図５乃至図７を用いて、読取装置４００が更に説明される。
【００５４】
読取装置４００は、導光板４９０に向けて光を出射する光源４９２を更に備える。導光板４９０は、光源４９２から出射された光が入射する第１端面４９３と、第１端面４９３とは反対側の第２端面４９４と、を含む。光源４９２から出射された光は、導光板４９０内で全反射を繰り返しながら、第１端面４９３から第２端面４９４へ向かう。第１端面４９３から第２端面４９４への伝搬の間、光は、導光板４９０から上方へ出射される。尚、図７は、第１端面４９３の周囲におけるケース４６０の拡大斜視図である。
【００５５】
図６に示される如く、スライダー部４７０は、第１端面４９３に隣接した第１スライダー片４７１と、第２端面４９４に隣接した第２スライダー片４７２と、を含む。図５に示される如く、ケース４６０は、コンタクトガラス４１０の下面４１２に対向する上面４６１を含む。第１スライダー片４７１は、上面４６１に固定され、且つ、コンタクトガラス４１０の下面４１２に接触する第１接触片４７３を含む。第２スライダー片４７２は、上面４６１に固定され、且つ、コンタクトガラス４１０の下面４１２に接触する第２接触片４７４を含む。本実施形態において、ケース４６０の上面４６１は、対向面として例示される。第１接触片４７３は、第１接触部として例示される。第２接触片４７４は、第２接触部として例示される。
【００５６】
図６に示される如く、ケース４６０は、導光板４９０に沿って副走査方向に延びる第１部分４６２と、第１部分４６２から離間して、導光板４９０から原稿へ向かう光の通過を許容する領域を規定する第２部分４６３と、を含む。導光板４９０は、第１部分４６２と第２部分４６３との間に配置される。第１接触片４７３及び第２接触片４７４は、第１部分４６２と第２部分４６３との間で跨って架設される。
【００５７】
図８は、第１スライダー片４７１と第２スライダー片４７２とに保持された導光板４９０の概略図である。図７及び図８を用いて、第１スライダー片４７１及び第２スライダー片４７２が説明される。
【００５８】
図７に示される如く、第１スライダー片４７１は、略Ｔ字型に形成される。第２スライダー片４７２も、第１スライダー片４７１と同様に、略Ｔ字型に形成される。第１スライダー片４７１は、第１接触片４７３から下方に突出し、導光板４９０の第１端面４９３に接続される第１保持片４７５を備える。図８に示される如く、第２スライダー片４７２は、第２接触片４７４から下方に突出し、導光板４９０の第２端面４９４に接続される第２保持片４７６を備える。導光板４９０は、第１保持片４７５と第２保持片４７６とによって保持されるので、導光板４９０と原稿との距離は、ケース４６０に影響されにくくなる。本実施形態において、第１保持片４７５は、第１保持部として例示される。第２保持片４７６は、第２保持部として例示される。また、第１保持片４７５及び第２保持片４７６は、保持部として例示される。
【００５９】
図８に示される如く、第１保持片４７５には、光源４９２から出射される光の光路に沿って貫通穴４７７が形成されてもよい。この結果、光源４９２から出射された光は、第１端面４９３に適切に入射することができる。
【産業上の利用可能性】
【００６０】
本実施形態の原理は、光学的に画像を読み取る装置に好適に適用される。
【符号の説明】
【００６１】
１００・・・・・複写機（画像形成装置）
４００・・・・・読取装置
４１１・・・・・上面（第１面）
４１２・・・・・下面（第２面）
４１０・・・・・コンタクトガラス（載置板）
４２０・・・・・スライド機構
４６０・・・・・ケース
４６１・・・・・上面（対向面）
４６２・・・・・第１部分
４６３・・・・・第２部分
４７０・・・・・スライダー部
４７１・・・・・第１スライダー片
４７２・・・・・第２スライダー片
４７３・・・・・第１接触片（第１接触部）
４７４・・・・・第２接触片（第２接触部）
４７５・・・・・第１保持片（保持部：第１保持部）
４７６・・・・・第２保持片（保持部：第２保持部）
４９０・・・・・導光板
４９２・・・・・光源
４９３・・・・・第１端面
４９４・・・・・第２端面
【図１】
2013207521.tif 000003
【図２】
2013207521.tif 000004
【図３】
2013207521.tif 000005
【図４】
2013207521.tif 000006
【図５】
2013207521.tif 000007
【図６】
2013207521.tif 000008
【図７】
2013207521.tif 000009
【図８】
2013207521.tif 000010